(57)【要約】      （修正有）【課題】続物コンテンツの利用を支援するための続物コンテンツの情報配信システムを提供する。【解決手段】続物コンテンツに関する情報を利用者に提供するための情報配信サーバと、続物コンテンツに関する情報を記録したコンテンツ情報記録部１０と、を備える。コンテンツ情報記録部１０は、続物コンテンツのコンテンツ情報と、各提供者が取り扱っている続物コンテンツの取り扱い情報と、を有する。情報配信サーバ１は、要求を受けた続物コンテンツに関して、続物コンテンツの取り扱い単位及び提供者名を行列とする取り扱い情報テーブルを出力するテーブル表示手段１２を有する。【選択図】図３
2015207953.tif 000002
【特許請求の範囲】
【請求項１】
続物コンテンツに関する情報を利用者に提供するための情報配信サーバと、
続物コンテンツに関する情報を記録したコンテンツ情報記録部と、を備えた続物コンテンツの情報配信システムであって、
前記コンテンツ情報記録部は、続物コンテンツのコンテンツ情報と、各提供者が取り扱っている続物コンテンツの取り扱い情報と、を有し、
前記情報配信サーバは、要求を受けた続物コンテンツに関して、前記続物コンテンツの提供者名及び取り扱い単位を行列とする取り扱い情報テーブルを出力するテーブル表示手段を有すること、を特徴とする続物コンテンツの情報配信システム。
【請求項２】
前記情報配信サーバは、利用者によるコンテンツ利用の履歴情報を記録する履歴記録手段を有すること、を特徴とする請求項１に記載の続物コンテンツの情報配信システム。
【請求項３】
前記履歴記録手段は、提供者端末から利用者の利用履歴を取得し、履歴情報として記録する外部履歴入力手段を有すること、を特徴とする請求項２に記載の続物コンテンツの情報配信システム。
【請求項４】
前記履歴記録手段は、利用者から利用履歴の入力を受け付け、履歴情報として記録する能動履歴入力手段を有すること、を特徴とする請求項２又は請求項３の何れかに記載の続物コンテンツの情報配信システム。
【請求項５】
前記情報配信サーバは、利用者が入力した予定情報を記録する予定入力手段を有すること、を特徴とする請求項１〜４の何れかに記載の続物コンテンツの情報配信システム。
【請求項６】
前記コンテンツ情報は、提供者が取り扱いっている続物コンテンツの配信期間情報を備えること、を特徴とする請求項１〜５の何れかに記載の続物コンテンツの情報配信システム。
【請求項７】
前記情報配信サーバは、前記配信期間情報に基づいて利用者に通知を行う通知手段を有すること、を特徴とする請求項６に記載の続物コンテンツの情報配信システム。
【請求項８】
前記情報配信サーバは、カレンダー上に前記配信期間情報を表示して出力する期間表示手段を有することを特徴とする請求項６又は請求項７に記載の続物コンテンツの情報配信システム。
【請求項９】
前記取り扱い情報テーブルに表示する提供者を選択可能であることを特徴とする請求項１〜８の何れかに記載の続物コンテンツの情報配信システム。
【請求項１０】
前記テーブル表示手段は、前記履歴記録手段によって記録された利用者の履歴情報を、前記取り扱い情報テーブルの提供者軸に表示することを特徴とする請求項２〜９の何れかに記載の続物コンテンツの情報配信システム。
【請求項１１】
前記履歴記録手段によって記録された利用者の履歴情報を基に、利用者にコンテンツの推薦を行うコンテンツ推薦手段を有することを特徴とする請求項２〜１０の何れかに記載の続物コンテンツの情報配信システム。
【請求項１２】
前記コンテンツ情報は、提供者が取り扱いっている続物コンテンツの利用に必要となる料金情報を備え、
前記情報配信サーバは、前記配信期間情報及び前記料金情報を用いて、対象となる続物コンテンツの利用スケジュールを作成する予定作成手段を有すること、を特徴とする請求項６〜８の何れかに記載の続物コンテンツの情報配信システム。
【請求項１３】
前記続物コンテンツは、続物の映像コンテンツであることを特徴とする請求項１〜１２の何れかに記載の続物コンテンツの情報配信システム。
【請求項１４】
続物コンテンツの情報配信方法であって、
続物コンテンツのコンテンツ情報及び各提供者が取り扱っている続物コンテンツの取り扱い情報を記録するステップと、
要求を受けた続物コンテンツに関して、前記続物コンテンツの取り扱い単位及び提供者名を行列とする取り扱い情報テーブルを出力するステップと、を備えることを特徴とする続物コンテンツの情報配信方法。
【請求項１５】
続物コンテンツに関する情報を利用者に提供するための情報配信サーバであって、
要求を受けた続物コンテンツに関して、取得した続物コンテンツの取り扱い単位及び提供者名を行列とする取り扱い情報テーブルを出力するテーブル表示手段を有すること、を特徴とする続物コンテンツの情報配信サーバ。
【請求項１６】
続物コンテンツに関する情報を利用者に提供するための情報配信プログラムであって、
続物コンテンツのコンテンツ情報及び各提供者が取り扱っている続物コンテンツの取り扱い情報を記録するステップと、
要求を受けた続物コンテンツに関して、前記続物コンテンツの取り扱い単位及び提供者名を行列とする取り扱い情報テーブルを出力するステップと、をコンピュータに行わせるための続物コンテンツの情報配信プログラム。
【発明の詳細な説明】
【技術分野】
【０００１】
本発明は、続物コンテンツの情報配信を行う為の情報配信システムに関する。
【背景技術】
【０００２】
これまで、番組を視聴する方法は、テレビ放送によって配信された映像を視聴する方法や、映像の記録された記録媒体を購入して視聴する方法、映像の記録された記録媒体をレンタルして視聴する方法など、ごく限られた方法しかなかった。
【０００３】
しかし、今日のインターネット通信の普及に伴い、これまで行われていた番組を視聴する方法に加え、インターネットを通じて、様々な提供者から番組の映像コンテンツを入手し、視聴を行うことが可能となった。
【０００４】
例えば、一定の金額を支払えば配信されている複数の映像コンテンツを自由に視聴可能な定額制の映像配信サービスや、視聴する映像コンテンツ毎に支払いを行う従量制の映像配信サービス、インターネット通信を用いた映像の記録された記録媒体の販売、貸し出しを行うサービスなどがある。
【０００５】
そのため、利用者は多くの方法の中から自身に好適な視聴方法を選択して、映像コンテンツを視聴することが可能となった。また、書籍や音楽、ゲームといった他のコンテンツに関しても、これまで行われていた方法に加え、様々な販売者から様々な形で購入や貸し出しを受けることが可能である。
【０００６】
特許文献１には、テレビ放送の視聴履歴を基に、利用者の嗜好に沿ったＶＯＤ（Video On Demand）コンテンツの推薦を行い、利用者が容易に好みのＶＯＤコンテンツを選択できるようにするためのＶＯＤ用番組推薦システムに関する技術が記載されている。
【０００７】
ＶＯＤコンテンツの利用は利用者に金銭的負担を強いるため、利用者の嗜好を分析するだけの十分な利用実績を得ることが難しい場合が多い。そのため、これまでは利用者に対して適切な映像コンテンツの推薦を行うことができなかった。特許文献１の技術によって、テレビ放送の視聴履歴を用いてＶＯＤコンテンツの推薦を行うことが可能となるため、利用者の細かな嗜好に沿って柔軟に映像コンテンツの推薦を行うことが可能となった。
【先行技術文献】
【特許文献】
【０００８】
【特許文献１】特開２００９−３３３７７号公報
【発明の概要】
【発明が解決しようとする課題】
【０００９】
しかしながら前述のように、現在において、複数の配信者や販売者から多様な形態でサービスを受け、コンテンツの利用を行うことが可能である。先行技術では、他の提供者より提供を受けたコンテンツに関しては履歴の管理を行うことができず、より利用者の嗜好に沿ったコンテンツの推薦を行うことはできない。
【００１０】
また、提供者によって、コンテンツの取り扱い状況、配信日程等は異なっている。例えば、テレビ放送であれば初放送や再放送の日時、ＶＯＤコンテンツであれば配信の開始日やその配信期間、コンテンツを収録した記録媒体の販売や貸し出しであれば販売開始日や貸し出し開始日など、映像コンテンツの取り扱い期間はそれぞれの提供者の設定により異なる。
【００１１】
取り扱い対象となるコンテンツや取り扱い期間は各提供者間で異なるため、利用者はコンテンツの利用に際して利用可能な提供者を比較し、自身に好適な配信者を選択する必要がある。各提供者を比較するのは煩雑であり、それが特に顕著に表れるのが連続テレビドラマやシリーズものの映画、連載漫画のような続物のコンテンツである。
【００１２】
続物のコンテンツは配信単位（話、巻）の総数が多く、複数の配信単位の集合（クール、期、シーズン、部、編など）に分けて配信されている場合も少なくない。そのため、続物のコンテンツを連続して早急に利用したいと考える利用者は、利用に際して目的のコンテンツを提供している提供者を逐次選択して、コンテンツの提供を受ける必要がある。一方、費用を抑えることを優先する利用者は、テレビ放送や記録媒体の貸し出しスケジュールを把握し、漏れなく利用を行いたいと考えている。
【００１３】
また、前述のように続物コンテンツは配信単位の総数が非常に多いため、利用者自身がコンテンツをどこまで消化したかわからなくなる場合がある。
【００１４】
本発明は、このような問題点に鑑みてなされたものであり、続物コンテンツの利用を支援するための続物コンテンツの情報配信システムを提供することを課題とする。
【課題を解決するための手段】
【００１５】
上記課題を解決するために、本発明は、続物コンテンツに関する情報を利用者に提供するための情報配信サーバと、続物コンテンツに関する情報を記録したコンテンツ情報記録部と、を備えた続物コンテンツの情報配信システムであって、前記コンテンツ情報記録部は、続物コンテンツのコンテンツ情報と、各提供者が取り扱っている続物コンテンツの取り扱い情報と、を有し、前記情報配信サーバは、要求を受けた続物コンテンツに関して、前記続物コンテンツの取り扱い単位及び提供者名を行列とする取り扱い情報テーブルを出力するテーブル表示手段を有することを特徴とする。
【００１６】
このような構成とすることで、利用者は対象となる続物コンテンツの提供者及びその配信形態や配信期間を容易に把握し、コンテンツの利用を効率的に行うことが可能となる。続物コンテンツは、各提供者によって取り扱いの有無や、配信している期間、配信形態、価格などが異なる。利用者は、目的のコンテンツを利用するために、対象コンテンツを提供している提供者を見つけ出し、更に、取り扱いのある各提供者を、配信形態や配信期間などを比較しながら選定する必要があった。利用の方法は、データやデータを記録した記録媒体の購入、記録媒体のレンタル、テレビ放送の視聴など多岐にわたり、必要となる価格や利用可能な時期にも違いがある。本発明を用いることにより、利用者は好適な提供者を容易に選択することができる。
【００１７】
本発明の好ましい形態では、前記情報配信サーバは、利用者によるコンテンツ利用の履歴情報を記録する履歴記録手段を有すること、を特徴とする。
このような構成とすることで、利用者がコンテンツをどこまで利用したのか容易に把握することができ、収集した利用者の利用状況を用いて、更なるサービスの提供を行うことが可能となる。利用者においては、自身の利用状況を容易に管理することが可能となる。
履歴情報の記録は、利用者の手によって入力されても構わないし、各提供者の利用履歴を受け取り利用するようにしても構わない。
【００１８】
前記履歴記録手段は、提供者端末から利用者の利用履歴を取得し、履歴情報として記録する外部履歴入力手段を有すること、を特徴とする。
このような構成とすることで、ＶＯＤ業者等、利用者の利用履歴を持った提供者から利用履歴に関するデータを受け取り、容易に利用者の履歴情報とすることができる。
【００１９】
前記履歴記録手段は、利用者から利用履歴の入力を受け付け、履歴情報として記録する能動履歴入力手段を有すること、を特徴とする。
このような構成とすることで、テレビ番組の視聴やコンテンツを記録した記録媒体の購入等、履歴を記録することができない形でのコンテンツの利用に関して、利用者の履歴情報を収集することができる。これにより、より実際の利用者の嗜好を加味した分析を行うことが可能である。
【００２０】
本発明の好ましい形態では、前記情報配信サーバは、利用者が入力した予定情報を記録する予定入力手段を有すること、を特徴とする。
このような構成とすることで、利用者によるコンテンツの利用のし忘れを防止し、効果的にコンテンツの利用を促すことができる。また、予定情報は履歴情報と同様、利用者が関心あるコンテンツに関するものであり、利用者の嗜好分析を行う際に活用することができる。
【００２１】
本発明の好ましい形態では、前記コンテンツ情報は、提供者が取り扱いっている続物コンテンツの配信期間情報を備えること、を特徴とする。
このような構成とすることで、利用者はコンテンツの配信期間や配信開始に関する情報を受け取ることが可能となり、コンテンツの利用をより効率的に行うことが可能となる。コンテンツの配信開始や配信期間、テレビ放送の日時を通知することにより、利用者による対象コンテンツの利用のし忘れを防止し、効果的にコンテンツの利用を促すことができる。
【００２２】
前記情報配信サーバは、前記配信期間情報に基づいて利用者に通知を行う通知手段を有すること、を特徴とする。
このような構成とすることで、利用者による対象コンテンツの利用のし忘れを防止し、効果的にコンテンツの利用を促すことができる。
【００２３】
本発明の好ましい形態では、前記情報配信サーバは、カレンダー上に前記配信期間情報を表示して出力する期間表示手段を有することを特徴とする。
このような構成とすることで、テレビ放送や提供期間が設定されたコンテンツなど、ある日時や一定の期間のみ利用可能なコンテンツを容易に把握し、コンテンツの利用を促すことができる。
【００２４】
本発明の好ましい形態では、前記取り扱い情報テーブルに表示する提供者を選択可能であることを特徴とする。
このような構成とすることで、利用者にとって不必要な提供者の情報を非表示にし、より利用者に好適な形で提供者の比較を行うことが可能である。
【００２５】
本発明の好ましい形態では、前記テーブル表示手段は、前記履歴記録手段によって記録された利用者の履歴情報を、前記取り扱い情報テーブルの提供者軸に表示することを特徴とする。
このような構成とすることで、利用者自身の利用状況と提供者による提供状況を比較しながら、容易に利用する提供者の選定を行うことができる。
【００２６】
本発明の好ましい形態では、前記履歴記録手段によって記録された利用者の履歴情報を基に、利用者にコンテンツの推薦を行うコンテンツ推薦手段を有することを特徴とする。
このような構成とすることで、複数の提供者によって提供されたコンテンツの利用状況を集約した履歴情報を基に、真に利用者の嗜好を加味したコンテンツの推薦を行うことができる。
また、続物番組以外の映画や音楽等の履歴情報を記録しておくことで、それぞれの提供者のサービスで利用したコンテンツの情報を統合し、続物コンテンツ以外のコンテンツに関しても適切な推薦等を行うことが可能である。
【００２７】
本発明の好ましい形態では、前記コンテンツ情報は、提供者が取り扱いっている続物コンテンツの利用に必要となる料金情報を備え、前記情報配信サーバは、前記配信期間情報及び前記料金情報を用いて、対象となる続物コンテンツの利用スケジュールを作成する予定作成手段を有すること、を特徴とする。
このような構成とすることで、利用者に最も好適なコンテンツの利用方法を導出することができる。利用する期間や金額など、それぞれの利用者における条件を付加することができるのが好ましい。
【００２８】
本発明の好ましい形態では、前記続物コンテンツは、続物の映像コンテンツであることを特徴とする。
【００２９】
本発明は、続物コンテンツの情報配信方法であって、続物コンテンツのコンテンツ情報及び各提供者が取り扱っている続物コンテンツの取り扱い情報を記録するステップと、要求を受けた続物コンテンツに関して、前記続物コンテンツの取り扱い単位及び提供者名を行列とする取り扱い情報テーブルを出力するステップと、を備えることを特徴とする。
【００３０】
本発明は、続物コンテンツに関する情報を利用者に提供するための情報配信サーバであって、要求を受けた続物コンテンツに関して、取得した続物コンテンツの取り扱い単位及び提供者名を行列とする取り扱い情報テーブルを出力するテーブル表示手段を有すること、を特徴とする。
【００３１】
本発明は、続物コンテンツに関する情報を利用者に提供するための情報配信プログラムであって、続物コンテンツのコンテンツ情報及び各提供者が取り扱っている続物コンテンツの取り扱い情報を記録するステップと、要求を受けた続物コンテンツに関して、前記続物コンテンツの取り扱い単位及び提供者名を行列とする取り扱い情報テーブルを出力するステップと、をコンピュータに行わせることを特徴とする。
【発明の効果】
【００３２】
本発明によれば、続物コンテンツの利用を支援するための続物コンテンツの情報配信システムを提供することができる。
【図面の簡単な説明】
【００３３】
【図１】本発明の実施形態に係る情報配信システムの概要を示す図である。
【図２】本発明の実施形態に係る情報配信サーバのハードウェア構成を示すである。
【図３】本発明の実施形態に係る情報配信サーバの機能ブロック図を示す。
【図４】本発明の実施形態に係る取り扱い情報テーブルを示す図である。
【図５】本発明の実施形態に係る取り扱い情報テーブルを示す図である。
【図６】本発明の実施形態に係る取り扱い情報テーブルを示す図である。
【図７】本発明の実施形態に係るカレンダーを示す図である。
【図８】本発明の実施形態に係る履歴情報テーブルを示す図である。
【図９】本発明の実施形態に係る予定情報テーブルを示す図である。
【図１０】本発明の実施形態に係る取り扱い情報テーブル出力フローである。
【発明を実施するための形態】
【００３４】
以下、本発明の実施形態について図面を参照して説明する。以下の実施形態の構成は例示であり、本発明は実施形態の構成に限定されない。
【００３５】
１．１．続物コンテンツ
本実施形態において取り扱う続物コンテンツの一例として、ドラマなどの放送番組を取り上げ説明するが、本開示における続物コンテンツの情報配信システムは、ラジオ番組や漫画、小説、ゲームなど、その他の続物コンテンツにも適用して利用できる。続物コンテンツとは、複数回の提供単位の内容を同様の設定やキャスティング、連続したストーリー、共通となる設定、同様のテレビ放送での放送枠などで構成することにより、ひとまとまりとなるコンテンツに関するものである。
【００３６】
本実施形態における続物コンテンツは例えば連続ドラマ（番組）であって、エピソード単位と、シーズン単位を有している。シーズンは、放送が行われた期間やストーリーの繋がり等によってコンテンツの配信単位（回）の集合を表すもので、クールや期、編などと表す場合もある。例えば、ある番組の１話から１０話まで四半期で放送した番組をシーズン１とし、次の１１話から２０話をシーズン２の１話から１０話として次の四半期で放送するような配信形態がとられている。
【００３７】
２．１．続物コンテンツの取り扱い情報システム
図１は、本実施形態における続物コンテンツの情報配信システムの概要を説明するための図である。続物コンテンツの情報配信システムは、情報配信サーバ１と、利用者端末２と、提供者端末３と、を備える。続物コンテンツの情報配信システムはネットワーク上に構築されており、利用者端末２からネットワークを通じてその機能を利用することができる。
【００３８】
２．２．情報配信サーバ
図２は、本実施形態における情報配信サーバ１のハードウェア構成を示す。ＣＰＵ１００には、メモリ１０１、通信装置１０２、入出力装置１０３、ハードディスク１０４が接続されている。通信装置１０２は、インターネットに接続するためのものである。ハードディスク１０４には、オペレーティングシステム１０５、情報配信プログラム１０６、コンテンツ情報データ１０７などが記録されている。情報配信プログラム１０６は、オペレーティングシステム１０５と協調してその機能を発揮するものである。
【００３９】
図３は、本実施形態における情報配信サーバ１の機能ブロック図を示す。情報配信サーバ１は、コンテンツ情報及び取り扱い情報を有するコンテンツ情報記録部１０と、履歴情報等の利用者に関する情報を有する利用者情報記録部１１と、要求を受けた続物コンテンツに関する取り扱い情報テーブルの出力を行うテーブル表示手段１２と、入力された条件を基に利用予定の作成を行う予定作成手段１３と、コンテンツの配信期間をカレンダー上に表示する期間表示手段１４と、利用者の入力に基づいて利用予定を記録するする予定入力手段１５と、続物コンテンツの利用状況を記録する履歴記録手段１６と、利用者に通知を行う通知手段１７と、利用者の利用履歴に基づいてコンテンツの推薦を行うコンテンツ推薦手段１８と、を備える。
【００４０】
コンテンツ情報記録部１０は、続物コンテンツに関する情報であるコンテンツ情報を記録している。コンテンツ情報は、続物コンテンツの番組名（大分類）、各コンテンツのエピソード数（小分類）、各コンテンツの集合であるシーズン数（中分類）、コンテンツを提供している提供者名、前記提供者がコンテンツの提供を行っているウェブページやコンテンツの紹介を行っているウェブページのＵＲＬ、コンテンツの提供期間などを有する。
【００４１】
利用者情報記録部１１は、利用者情報を記録している。利用者情報は、利用者がサービスを受けるために必要なＩＤ及びパスワード、利用者の利用履歴情報、予定情報、その他設定に関する等の利用者に関する情報を有する。
【００４２】
テーブル表示手段１２は、コンテンツ情報記録部１０に記憶されたコンテンツ情報を用いて、利用者から要求を受けた続物コンテンツに関する取り扱い情報テーブルの出力を行う。また、利用者情報記録部１１に記録された利用者の利用履歴情報を、取り扱い情報テーブルに表示するようにしてもよい。
【００４３】
予定作成手段１３は、配信形態やコンテンツの料金情報、などを加味して利用者に最適な利用方法を導出して提供するものである。利用者は、コンテンツの利用に必要な料金、コンテンツ利用の緊急度を示す利用の期間、利用可能な提供者サービス、などを入力することで、どの提供者から、どのように続物コンテンツの提供を受けるべきかを導出する。ＶＯＤ業者は、権利や料金プラン等の関係から、公開された続物番組の全シーズン・全エピソードを常時配信しているわけではないため、利用者においては、選択的にＶＯＤ事業者の利用を行うことが必要となる場合がある。そのため、利用者に適切な利用方法を導出し、利用を促すことで効果的にコンテンツを利用させることが可能である。
【００４４】
例えば、料金を抑えたい利用者はテレビ放送や記録媒体の貸し出し業者を利用することとなり、コンテンツ利用の完了まで長期間かかることとなる。すぐさまにコンテンツを利用したい利用者は、対象コンテンツを提供しているＶＯＤ事業者を選択し、コンテンツを利用することとなる。
【００４５】
期間表示手段１４は、カレンダー上に続物コンテンツの配信期間や放送日時を表示する。これにより、放送日等を容易に把握することが可能である。
【００４６】
予定入力手段１５は、利用者が見たいコンテンツを記録しておくためのものである。ここで入力されたコンテンツに関して、コンテンツの提供期間や放送日時等に関する通知を行うようにしてもよい。また、後述する能動履歴入力手段１６ｂによって履歴を入力する際に、予定入力手段１５によって入力されたコンテンツの予定情報から履歴情報の入力を可能にすることで、スムーズに履歴情報の記録を行うことができる。
【００４７】
履歴記録手段１６は、利用者のコンテンツの利用履歴の記録を行う。履歴の記録は２通りの方法があり、ＶＯＤ事業者が保持する各利用者のコンテンツの利用履歴を提供者端末３から受け取り、履歴情報として記録するための外部履歴入力手段１６ａと、テレビ放送の視聴やコンテンツの記録された記録媒体を購入して視聴等した際に、利用者が自身で入力を行いコンテンツの利用履歴を履歴情報として記録するための能動履歴入力手段１６ｂである。
【００４８】
通知手段１７は、コンテンツの取り扱い期間情報等を基に、利用者に対して通知を行う。これにより、利用者はコンテンツの放送日時や配信期間等に関する情報を必要に応じて受け取り、利用を行うことが可能である。この通知は、予定入力手段１５における利用者の予定情報を基になされるようにしてもよい。
【００４９】
コンテンツ推薦手段１８は、利用者に対してコンテンツの推薦を行う。コンテンツには膨大な数があり、利用者自身どのコンテンツを利用するべきかわからない場合がある。そのため、利用者に対してコンテンツの推薦を行うことで、コンテンツの利用を促すことができる。推薦されるコンテンツは、利用者の履歴情報と類似する履歴情報を持った他の利用者の履歴情報や、予定入力手段１５によって入力された予定情報等を基に選定される。コンテンツ推薦手段１８によって推薦されたコンテンツが、利用者が既に利用したコンテンツである場合、能動履歴入力手段１６ｂを用いて履歴情報に追記可能に構成されていてもよい。
【００５０】
３．１取り扱い情報テーブル
図４に示すように、取り扱い情報テーブルＴ１は、続物コンテンツの提供者を行、現在までに提供されたシーズンを列、として表示している。勿論、提供者を列、シーズンを行としてテーブルを作成しても構わないし、シーズンではなくコンテンツの配信単位（放送回単位）を列として表示しても構わない。
【００５１】
提供者は、テレビ放送者（図４におけるａ〜ｈＴＶ）やＶＯＤ事業者（図４におけるａ〜ｅＶＯＤ）、コンテンツの記録された記録媒体の貸し出し業者（図４におけるａレンタル）、コンテンツの記録された記録媒体の販売業者（図４におけるaショップ）等、対象のコンテンツ取り扱う者を表している。テレビ放送者の取り扱いコンテンツは、前もって発表される放送日時の情報（１か月分程度）に基づいて記載されている。これら各提供者の取り扱い情報は、提供者端末３から出力された提供コンテンツの情報や、情報配信サーバ１に入力された提供コンテンツの情報を基に入力される。
【００５２】
また、提供者軸の上部には、利用者自身の履歴情報（図４におけるMy  History）が合わせて表示されており、自身の利用状況を参照しながらコンテンツの利用を行う為の提供者を探すことが可能である。履歴情報は、取り扱い情報テーブルに必ずしも表示される必要はなく、提供者軸の上部に必ずしも表示される必要もない。
【００５３】
各提供者が取り扱っているコンテンツは、提供者と各シーズンとの交わるセルに表示される。この表示は、対象のコンテンツを取り扱っているか否かを容易に視認できるように成されており、色分けや模様、文字などによって区別可能に表示されている。
【００５４】
図５に示すように、利用者は任意の提供者を選択して、選択した提供者に関する取り扱い情報テーブルＴ２を出力させるようにしても構わない。これにより、利用者の地域で放送のないテレビ放送者や、利用する予定がないＶＯＤ事業者などの提供者に関する余計な情報を除いた状態で、取り扱い情報テーブルＴ２を出力することができる。
【００５５】
図４に示す取り扱い情報テーブルＴ１のシーズン列には、番組のシーズン数が記載されている。取り扱い情報テーブルＴ１に表示されている番組は、第１２シーズンが現在の最新シーズンである続物番組を表している。シーズンは、複数のエピソードの集合による中分類であり、該当するシーズンを選択することによって、シーズンごとのエピソードについて、図６のような取り扱いテーブルＴ３が表示される。本実施形態においては、Ｔ１におけるシーズン数が記載された行の下にある「詳細」部分を選択することで、シーズンごとに分類された配信単位での取り扱い情報テーブルを表示することができる。取り扱い情報テーブルは、必ずしもシーズン及び配信単位ごとに分類して階層的に記載されている必要はなく、配信単位を列として全シーズンのコンテンツを一つのテーブル上に表示しても構わない。
【００５６】
３．２．コンテンツの提供期間表示
取り扱い情報テーブルＴ１などの各提供者名を選択すると、期間表示手段１４により、コンテンツの配信期間や放送日時が記載されたカレンダーが表示される。図７には、テレビ放送者（図４におけるｇＴＶ）のある番組に関するカレンダーの表示例を示す。取り扱い情報テーブルに表示していたある番組の、シーズン２の６話からシーズン３の７話までが再放送を行いながら週３日放送され、毎週日曜日にはシーズン１を１話から１５話まで日に４話毎放送している。必ずしも本例のように提供者単位でカレンダーに表示を行う必要はなく、指定の配信単位やシーズン単位、予定作成手段１３によって作成された利用予定に沿った配信スケジュール等を基に表示してもよい。
【００５７】
３．３．履歴情報の記録
履歴記録手段１６を用いて、利用者が利用したコンテンツを記録しておく方法として２通りの方法がある。ＶＯＤ事業者等が保持する各利用者のコンテンツの利用履歴を履歴情報として記録するための外部履歴入力手段１６ａと、利用者が自身で入力を行いコンテンツの利用履歴を履歴情報として記録するための能動履歴入力手段１６ｂである。
【００５８】
外部履歴入力手段１６ａを用いることで、外部のＶＯＤ事業者等が記録した利用者の利用履歴を取得し、履歴情報として記録することが可能である。一方、テレビの視聴履歴等、記録されていないコンテンツの利用履歴に関しては、利用者自身が能動履歴入力手段１６ｂを用いて入力し、記録管理することが可能である。勿論ＶＯＤコンテンツ等に関しても、能動履歴入力手段１６ｂを用いて記録可能であっても構わない。利用者は自身の利用履歴を記録管理することにより、これまで見たコンテンツの記録を蓄積することが可能である。利用者は、取り扱い情報テーブルや期間情報の表示されたカレンダー、後述する予定情報テーブルなどから、チェックボックス等を用いて容易に利用履歴を入力可能であるのが好ましい。
【００５９】
通知手段１７は、コンテンツの取り扱い期間情報等を基に、利用者に対して通知を行う。これにより、利用者はコンテンツの放送日時や配信期間等に関する情報を必要に応じて受け取ることができ、効果的にコンテンツの利用を促すことができる。この通知は、予定入力手段１５によって入力され、利用者情報記録部１１に記録された利用者の予定情報を基になされるようにしてもよい。
【００６０】
３．４．履歴情報の利用
図８は、履歴情報の表示例を示す図である。本実施形態おける履歴情報は、番組名及びそのシーズン数を行、放送回（コンテンツの配信単位）を列とする履歴情報テーブルとして表示される。これにより、利用者は、コンテンツの利用履歴を極めて容易に把握することができる。この履歴情報テーブルから、履歴情報を入力することも可能である。また、シーズンごとの利用率、番組全体の利用率、該コンテンツを利用する他の利用者との利用率の比較・ランキング等を集計し、表示するようにしてもよい。
【００６１】
また、利用者の履歴情報を用いて、利用状況に応じた特典を配布するようにしてもよい。例えば、ある番組のシーズン３に関するコンテンツの利用率が８０％以上である利用者に対して、ＶＯＤ事業者等のサービスで利用可能なシーズン４の割引きチケットを配布するようにしてもよい。これにより、利用者はより積極的に能動履歴入力手段１６ｂを活用し、ＶＯＤ事業者のサービス等の利用を促すことが可能である。
【００６２】
３．５．予定情報の記録
図９（ａ）は、予定入力手段１５を用いて入力された予定情報を表示した、予定情報テーブルを示している。予定情報は、利用者がコンテンツを自由に登録することができ、登録されたコンテンツを備忘録等、様々な用途で利用するために、利用者情報記録部１１に記憶している。また、図９（ｂ）に示すように、コンテンツの配信単位ごとの予定情報テーブルを表示するようにしても構わない。図８（ｂ）の予定情報テーブルのコンテンツの行には、利用者の履歴情報が反映され、列として表示されている。予定情報として記録されたコンテンツは利用者において関心度が高いものであるため、利用する確率も高い。そのため、予定情報テーブルから能動履歴入力手段１６ｂを用いて、コンテンツの利用状況を履歴情報として記録可能であってもよい。図９（ｂ）は、テーブル中にチェックボックスを表示しており、容易に利用履歴の入力を行うことを可能としている。
【００６３】
４．１．取り扱い情報テーブルの表示
ついで、このように構成された本実施形態に係る取り扱い情報テーブルの作成方法を、図１０に示すフローチャートを参照して説明する。
【００６４】
情報配信サーバ１に利用者から取り扱い情報テーブルの出力指示が入力されることで、取り扱い情報テーブルが出力される。利用者は自身の所有するＩＤ及びパスワードを入力することで、履歴情報や予定情報を利用して、より好適な形で続物コンテンツの情報配信システムを利用することができる。本実施形態では、利用者はＩＤ及びパスワードを用いて本システムを利用しているものとする。Ｓ１で、利用者は、取り扱い情報を表示したい続物コンテンツ名を入力、選択等する。
【００６５】
Ｓ２では、利用者が取り扱い情報テーブルに表示する提供者を限定しているか否かが判定される。特に表示する提供者を限定していない場合（Ｓ２でＮ）はＳ３へ進み、全提供者の情報を取得する。表示する提供者を限定している場合（Ｓ２でＹ）、Ｓ４へ進み対象となる提供者に関する取り扱い情報のみを取得する。初めに全提供者の取り扱い情報を取得し、テーブルとして成形する際に任意の提供者を除外するように構成しても構わない。
【００６６】
次に、Ｓ５では利用者の履歴情報を参照する。Ｓ１で選択された続物コンテンツが利用者の利用履歴に含まれる場合（Ｓ５でＹ）、Ｓ６に進み、利用者の履歴情報を追加する。利用者の履歴情報にＳ１で選択された続物コンテンツが含まれていない場合（Ｓ５でＮ）、Ｓ７に進む。この履歴情報の参照は、必ずしも提供者の取り扱い情報取得後に行う必要はない。
【００６７】
Ｓ７では、これまでに取得した情報を基に、取り扱い情報テーブルの出力が行われる。これによって、利用者はＴ１やＴ２、Ｔ３のような取り扱い情報テーブルを閲覧することが可能となる。
【００６８】
本実施形態によれば、利用者は対象となる続物コンテンツを取り扱っている提供者を取り扱い情報テーブル上で、一目で確認することができ、コンテンツを利用するためにどの提供者が提供するサービスを受ければ良いのか、容易に選択することが可能である。
【００６９】
また、利用者の履歴情報を取り扱い情報テーブル上に表示したり、取り扱い情報テーブルに表示する提供者を限定可能であったり、カレンダー上に期間情報を表示したりすることにより、利用者により好適な形で取り扱い情報を提供することが可能である。
【産業上の利用可能性】
【００７０】
各提供者と連携しながら続物コンテンツの利用を促進するような、続物コンテンツに関する情報配信ウェブサイトを提供することができる。
【符号の説明】
【００７１】
１  情報配信サーバ
１０  コンテンツ情報記録部
１１  利用者情報記録部
１２  テーブル表示手段
１３  予定作成手段
１４  期間表示手段
１５  予定入力手段
１６  履歴記録手段
１６ａ  外部履歴入力手段
１６ｂ  能動履歴入力手段
１７  通知手段
１８  コンテンツ推薦手段
１００  ＣＰＵ
１０１  メモリ
１０２  通信装置
１０３  入出力装置
１０４  ハードディスク
１０５  ＯＳ
１０６  情報配信プログラム
１０７  コンテンツ情報データ
２  利用者端末
３  提供者端末
Ｔ１、Ｔ２、Ｔ３  取り扱い情報テーブル
【図１】
2015207953.tif 000003
【図２】
2015207953.tif 000004
【図３】
2015207953.tif 000005
【図４】
2015207953.tif 000006
【図５】
2015207953.tif 000007
【図６】
2015207953.tif 000008
【図７】
2015207953.tif 000009
【図８】
2015207953.tif 000010
【図９】
2015207953.tif 000011
【図１０】
2015207953.tif 000012
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
続物コンテンツに関する情報を利用者に提供するための情報配信サーバと、
続物コンテンツに関する情報を記録したコンテンツ情報記録部と、を備えた続物コンテンツの情報配信システムであって、
前記コンテンツ情報記録部は、続物コンテンツのコンテンツ情報と、各提供者が取り扱っている続物コンテンツの取り扱い情報と、を有し、
前記情報配信サーバは、要求を受けた続物コンテンツに関して、前記続物コンテンツの提供者名及び取り扱い単位を行列とする取り扱い情報テーブルを出力するテーブル表示手段を有すること、を特徴とする続物コンテンツの情報配信システム。
【請求項２】
前記情報配信サーバは、利用者によるコンテンツ利用の履歴情報を記録する履歴記録手段を有すること、を特徴とする請求項１に記載の続物コンテンツの情報配信システム。
【請求項３】
前記テーブル表示手段は、前記履歴記録手段によって記録された利用者の履歴情報を、前記取り扱い情報テーブルの提供者軸に表示することを特徴とする請求項２に記載の続物コンテンツの情報配信システム。
【請求項４】
前記履歴記録手段によって記録された利用者の履歴情報を基に、利用者にコンテンツの推薦を行うコンテンツ推薦手段を有することを特徴とする請求項２又は請求項３に記載の続物コンテンツの情報配信システム。
【請求項５】
前記履歴記録手段は、提供者端末から利用者の利用履歴を取得し、履歴情報として記録する外部履歴入力手段を有すること、を特徴とする請求項２〜４の何れかに記載の続物コンテンツの情報配信システム。
【請求項６】
前記履歴記録手段は、利用者から利用履歴の入力を受け付け、履歴情報として記録する能動履歴入力手段を有すること、を特徴とする請求項２〜５の何れかに記載の続物コンテンツの情報配信システム。
【請求項７】
前記情報配信サーバは、利用者が入力した予定情報を記録する予定入力手段を有すること、を特徴とする請求項１〜６の何れかに記載の続物コンテンツの情報配信システム。
【請求項８】
前記コンテンツ情報は、提供者が取り扱っている続物コンテンツの配信期間情報を備えること、を特徴とする請求項１〜７の何れかに記載の続物コンテンツの情報配信システム。
【請求項９】
前記情報配信サーバは、前記配信期間情報に基づいて利用者に通知を行う通知手段を有すること、を特徴とする請求項８に記載の続物コンテンツの情報配信システム。
【請求項１０】
前記情報配信サーバは、カレンダー上に前記配信期間情報を表示して出力する期間表示手段を有することを特徴とする請求項８又は請求項９に記載の続物コンテンツの情報配信システム。
【請求項１１】
前記コンテンツ情報は、提供者が取り扱っている続物コンテンツの利用に必要となる料金情報を備え、
前記情報配信サーバは、前記配信期間情報及び前記料金情報を用いて、対象となる続物コンテンツの利用スケジュールを作成する予定作成手段を有すること、を特徴とする請求項８〜１０の何れかに記載の続物コンテンツの情報配信システム。
【請求項１２】
前記取り扱い情報テーブルに表示する提供者を選択可能であることを特徴とする請求項１〜１１の何れかに記載の続物コンテンツの情報配信システム。
【請求項１３】
前記続物コンテンツは、続物の映像コンテンツであることを特徴とする請求項１〜１２の何れかに記載の続物コンテンツの情報配信システム。
【請求項１４】
利用者端末とネットワークを通じて接続された、続物コンテンツに関する情報を提供するための情報配信サーバにおける続物コンテンツの情報配信方法であって、
続物コンテンツのコンテンツ情報及び各提供者が取り扱っている続物コンテンツの取り扱い情報を記録するステップと、
前記利用者端末から要求を受けた続物コンテンツに関して、前記続物コンテンツの取り扱い単位及び提供者名を行列とする取り扱い情報テーブルを出力するステップと、を備えることを特徴とする続物コンテンツの情報配信方法。
【請求項１５】
続物コンテンツに関する情報を利用者に提供するための情報配信サーバであって、
要求を受けた続物コンテンツに関して、取得した続物コンテンツの取り扱い単位及び提供者名を行列とする取り扱い情報テーブルを出力するテーブル表示手段を有すること、を特徴とする続物コンテンツの情報配信サーバ。
サーバ
【請求項１６】
続物コンテンツに関する情報を利用者に提供するための情報配信プログラムであって、
続物コンテンツのコンテンツ情報及び各提供者が取り扱っている続物コンテンツの取り扱い情報を記録するステップと、
要求を受けた続物コンテンツに関して、前記続物コンテンツの取り扱い単位及び提供者名を行列とする取り扱い情報テーブルを出力するステップと、をコンピュータに行わせるための続物コンテンツの情報配信プログラム。
【手続補正２】
【補正対象書類名】明細書
【補正対象項目名】００２０
【補正方法】変更
【補正の内容】
【００２０】
本発明の好ましい形態では、前記コンテンツ情報は、提供者が取り扱っている続物コンテンツの配信期間情報を備えること、を特徴とする。
このような構成とすることで、利用者はコンテンツの配信期間や配信開始に関する情報を受け取ることが可能となり、コンテンツの利用をより効率的に行うことが可能となる。コンテンツの配信開始や配信期間、テレビ放送の日時を通知することにより、利用者による対象コンテンツの利用のし忘れを防止し、効果的にコンテンツの利用を促すことができる。
【手続補正３】
【補正対象書類名】明細書
【補正対象項目名】００２６
【補正方法】変更
【補正の内容】
【００２６】
本発明の好ましい形態では、前記コンテンツ情報は、提供者が取り扱っている続物コンテンツの利用に必要となる料金情報を備え、前記情報配信サーバは、前記配信期間情報及び前記料金情報を用いて、対象となる続物コンテンツの利用スケジュールを作成する予定作成手段を有すること、を特徴とする。
このような構成とすることで、利用者に最も好適なコンテンツの利用方法を導出することができる。利用する期間や金額など、それぞれの利用者における条件を付加することができるのが好ましい。
【手続補正４】
【補正対象書類名】明細書
【補正対象項目名】００２８
【補正方法】変更
【補正の内容】
【００２８】
本発明は、利用者端末とネットワークを通じて接続された、続物コンテンツに関する情報を提供するための情報配信サーバにおける続物コンテンツの情報配信方法であって、続物コンテンツのコンテンツ情報及び各提供者が取り扱っている続物コンテンツの取り扱い情報を記録するステップと、前記利用者端末から要求を受けた続物コンテンツに関して、前記続物コンテンツの取り扱い単位及び提供者名を行列とする取り扱い情報テーブルを出力するステップと、を備えることを特徴とする。